(57)【要約】【課題】表皮材の材質や形状に左右されず、摺動性が良くスライドファスナーを容易に閉じることができるスライドファスナー閉じ具を提供する。【解決手段】使用者により把持されるハンドル２０と、ハンドル２０の一端部からハンドル２０の長手方向に沿って延びる第１ロッド３０及び第２ロッド４０と、第１ロッド３０の先端部に設けられる上板部３１と、第２ロッド４０の先端部に設けられる下板部４１と、を備え、第１ロッド３０及び第２ロッド４０の一方がハンドル２０に長手方向に沿って移動可能に設けられることにより、上板部３１と下板部４１との間隔が調節可能である。【選択図】図１
2018153446.tif 000002
【特許請求の範囲】
【請求項１】
一対のファスナーテープ（Ｔ）と、前記一対のファスナーテープ（Ｔ）の対向するテープ側縁部に取り付けられる一対のファスナーエレメント（Ｅ）と、を備えるスライドファスナー（ＳＦ）を閉じるためのスライドファスナー閉じ具（１０）であって、
使用者により把持されるハンドル（２０）と、
前記ハンドル（２０）の一端部から前記ハンドル（２０）の長手方向に沿って延びる第１ロッド（３０）及び第２ロッド（４０）と、
前記第１ロッド（３０）の先端部に設けられる上板部（３１）と、
前記第２ロッド（４０）の先端部に設けられる下板部（４１）と、を備え、
前記第１ロッド（３０）及び前記第２ロッド（４０）の一方が前記ハンドル（２０）に長手方向に沿って移動可能に設けられることにより、前記上板部（３１）と前記下板部（４１）との間隔が調節可能であることを特徴とするスライドファスナー閉じ具（１０）。
【請求項２】
前記第１ロッド（３０）が前記ハンドル（２０）に不動に固定されると共に、前記第２ロッド（４０）が前記ハンドル（２０）に長手方向に沿って移動可能に設けられることを特徴とする請求項１に記載のスライドファスナー閉じ具（１０）。
【請求項３】
前記上板部（３１）の下面は、前記ファスナーテープ（Ｔ）又は前記ファスナーテープ（Ｔ）に取り付けられる表皮材（Ｓ１）に接触する押さえ面であることを特徴とする請求項２に記載のスライドファスナー閉じ具（１０）。
【請求項４】
前記第２ロッド（４０）及び前記下板部（４１）の上面は、前記一対のファスナーエレメント（Ｅ）を案内する略Ｙ字状のエレメント案内路（４１ｃ）を形成することを特徴とする請求項３に記載のスライドファスナー閉じ具（１０）。
【請求項５】
前記上板部（３１）は、前記第１ロッド（３０）の先端から、前記第１ロッド（３０）の延出方向に対して交差する方向に延出されており、
前記下板部（４１）は、前記第２ロッド（４０）の先端から、前記第２ロッド（４０）の延出方向に対して交差する方向に延出されており、
前記上板部（３１）には、貫通穴（３１ａ）が形成されており、
前記第２ロッド（４０）は、前記貫通穴（３１ａ）に挿通されていることを特徴とする請求項１〜４のいずれか１項に記載のスライドファスナー閉じ具（１０）。
【請求項６】
前記ハンドル（２０）は、上下に連結される上側ケース（２１）及び下側ケース（２２）と、前記上側ケース（２１）及び前記下側ケース（２２）を長手方向に沿って貫通する挿通穴（２３）と、前記挿通穴（２３）にスライド可能に挿通されるプッシュロッド（２４）と、前記プッシュロッド（２４）を上方に常時付勢する少なくとも１つのばね（２５）と、を備え、
前記下側ケース（２２）に前記第１ロッド（３０）が取り付けられ、前記プッシュロッド（２４）に前記第２ロッド（４０）が取り付けられることを特徴とする請求項２〜５のいずれか１項に記載のスライドファスナー閉じ具（１０）。
【請求項７】
前記上板部（３１）と前記下板部（４１）との間隔は、前記少なくとも１つのばね（２５）の付勢力により自動的に調節されることを特徴とする請求項６に記載のスライドファスナー閉じ具（１０）。
【請求項８】
前記プッシュロッド（２４）の上端部は、前記上側ケース（２１）の上面よりも上方に突出しており、前記プッシュロッド（２４）をスライドさせるスイッチを構成することを特徴とする請求項６又は７に記載のスライドファスナー閉じ具（１０）。
【請求項９】
前記上板部（３１）と前記下板部（４１）は、前記第１ロッド（３０）及び前記第２ロッド（４０）に対して略直交して配置され、且つ互いに平行に配置されることを特徴とする請求項１〜８のいずれか１項に記載のスライドファスナー閉じ具（１０）。
【発明の詳細な説明】
【技術分野】
【０００１】
本発明は、スライドファスナーを閉じるための治具に関する。
【背景技術】
【０００２】
従来のスライドファスナーのスライダーとして、スライダー胴体の上翼板と下翼板とを連結する案内柱をねじで形成して、上翼板と下翼板との間隔を調節可能にしたものが知られている（例えば、特許文献１参照）。
【先行技術文献】
【特許文献】
【０００３】
【特許文献１】特開２０１２−２１７６０３号公報
【発明の概要】
【発明が解決しようとする課題】
【０００４】
ところで、上記特許文献１に記載のスライダーでは、上翼板と下翼板との間隔を調節できるため、上翼板と下翼板との間に生地などの表皮材を挟み込むことができるものの、表皮材の材質や形状（厚さが不均一など）によっては、スライダーの摺動性が悪くなり、スライドファスナーを閉じ難かった。
【０００５】
本発明は、前述した事情に鑑みてなされたものであり、その目的は、表皮材の材質や形状に左右されず、摺動性が良くスライドファスナーを容易に閉じることができるスライドファスナー閉じ具を提供することにある。
【課題を解決するための手段】
【０００６】
本発明の上記目的は、下記の構成により達成される。
（１）一対のファスナーテープと、一対のファスナーテープの対向するテープ側縁部に取り付けられる一対のファスナーエレメントと、を備えるスライドファスナーを閉じるためのスライドファスナー閉じ具であって、使用者により把持されるハンドルと、ハンドルの一端部からハンドルの長手方向に沿って延びる第１ロッド及び第２ロッドと、第１ロッドの先端部に設けられる上板部と、第２ロッドの先端部に設けられる下板部と、を備え、第１ロッド及び第２ロッドの一方がハンドルに長手方向に沿って移動可能に設けられることにより、上板部と下板部との間隔が調節可能であることを特徴とするスライドファスナー閉じ具。
（２）第１ロッドがハンドルに不動に固定されると共に、第２ロッドがハンドルに長手方向に沿って移動可能に設けられることを特徴とする（１）に記載のスライドファスナー閉じ具。
（３）上板部の下面は、ファスナーテープ又はファスナーテープに取り付けられる表皮材に接触する押さえ面であることを特徴とする（２）に記載のスライドファスナー閉じ具。
（４）第２ロッド及び下板部の上面は、一対のファスナーエレメントを案内する略Ｙ字状のエレメント案内路を形成することを特徴とする（３）に記載のスライドファスナー閉じ具。
（５）上板部は、第１ロッドの先端から、第１ロッドの延出方向に対して交差する方向に延出されており、下板部は、第２ロッドの先端から、第２ロッドの延出方向に対して交差する方向に延出されており、上板部には、貫通穴が形成されており、第２ロッドは、貫通穴に挿通されていることを特徴とする（１）〜（４）のいずれか１つに記載のスライドファスナー閉じ具。
（６）ハンドルは、上下に連結される上側ケース及び下側ケースと、上側ケース及び下側ケースを長手方向に沿って貫通する挿通穴と、挿通穴にスライド可能に挿通されるプッシュロッドと、プッシュロッドを上方に常時付勢する少なくとも１つのばねと、を備え、下側ケースに第１ロッドが取り付けられ、プッシュロッドに第２ロッドが取り付けられることを特徴とする（２）〜（５）のいずれか１つに記載のスライドファスナー閉じ具。
（７）上板部と下板部との間隔は、少なくとも１つのばねの付勢力により自動的に調節されることを特徴とする（６）に記載のスライドファスナー閉じ具。
（８）プッシュロッドの上端部は、上側ケースの上面よりも上方に突出しており、プッシュロッドをスライドさせるスイッチを構成することを特徴とする（６）又は（７）に記載のスライドファスナー閉じ具。
（９）上板部と下板部は、第１ロッド及び第２ロッドに対して略直交して配置され、且つ互いに平行に配置されることを特徴とする（１）〜（８）のいずれか１つに記載のスライドファスナー閉じ具。
【発明の効果】
【０００７】
本発明によれば、使用者により把持されるハンドルと、ハンドルの一端部からハンドルの長手方向に沿って延びる第１ロッド及び第２ロッドと、第１ロッドの先端部に設けられる上板部と、第２ロッドの先端部に設けられる下板部と、を備え、第１ロッド及び第２ロッドの一方がハンドルに長手方向に沿って移動可能に設けられることにより、上板部と下板部との間隔が調節可能であるため、表皮材の材質や形状に左右されず、摺動性が良くスライドファスナーを容易に閉じることができる。
【図面の簡単な説明】
【０００８】
【図１】本発明に係るスライドファスナー閉じ具の一実施形態を説明する側面図である。
【図２】図１に示すスライドファスナー閉じ具の正面図である。
【図３】図１のＡ−Ａ線断面図である。
【図４】図２のＢ−Ｂ線断面図である。
【図５】プッシュロッドを押し下げて、上板部と下板部との間隔を開いた状態を説明する断面図である。
【図６】図１に示す第２ロッドと下板部の斜視図である。
【図７】上板部と下板部との間に、表皮材、ファスナーテープ、及びファスナーエレメントが挟み込まれた状態を説明する拡大断面図である。
【図８】本発明に係るスライドファスナー閉じ具によりスライドファスナーが閉じられるクッションの斜視図である。
【図９】図８に示すクッションの縦断面図である。
【発明を実施するための形態】
【０００９】
以下、本発明に係るスライドファスナー閉じ具の一実施形態について、図面に基づいて詳細に説明する。なお、以下の説明において、上側とは図１の紙面に対して上側、下側とは図１の紙面に対して下側、前側とは図１の紙面に対して右側、後側とは図１の紙面に対して左側、左側とは図１の紙面に対して奥側、右側とは図１の紙面に対して手前側とする。また、左右方向は幅方向とも言う。
【００１０】
まず、本発明のスライドファスナー閉じ具によりスライドファスナーが閉じられる物品の一例について説明する。そして、その物品の一例とは、例えば、図８に示す略直方体形状のクッションＣｕであり、このクッションＣｕは、図８及び図９に示すように、ウレタンフォームなどの内容物Ｍと、内容物Ｍを覆うカバー材Ｃｖと、を備える。なお、物品の他の例として、自動車などの乗り物のシートなどを挙げることができる。
【００１１】
カバー材Ｃｖは、内容物Ｍの前面、上面、後面を覆う上面カバーＣｔと、内容物Ｍの左右側面を覆う左右の側面カバーＣｓと、内容物Ｍの下面を覆う下面カバーＣｂと、を備える。なお、上面カバーＣｔ、左右の側面カバーＣｓ、及び下面カバーＣｂは、縫着、接着、溶着などにより結合されている。
【００１２】
上面カバーＣｔは、図９に示すように、表皮材Ｓ１と、表皮材Ｓ１の開口Ｓ２を閉じるスライドファスナーＳＦと、を備える。表皮材Ｓ１は、例えば、後述するような、柔軟な合成樹脂製であり液体状の合成樹脂材をシート状に固化させるようにして成形可能である。そして、表皮材Ｓ１とスライドファスナーＳＦはインサート成形により一体に固着されている。また、スライドファスナーＳＦは、クッションＣｕの前面、上面、後面に亘って連続して配置されている。
【００１３】
表皮材Ｓ１は、伸縮性を有するシート状部材であり、その材質としては、例えば、シリコン樹脂やラテックスなどを挙げることができる。そして、表皮材Ｓ１は、１枚の表皮材を左右２枚に切り分けたものであり、この左右２枚の表皮材Ｓ１の対向する縁部により開口Ｓ２が形成されている。また、表皮材Ｓ１は、ファスナーテープＴの織組織からなる表面の凹凸（織目）、編組織からなる表面の凹凸（編目）に浸入してスライドファスナーＳＦと一体に固着されている。なお、表皮材Ｓ１の材質は、シリコン樹脂やラテックスに限定されず、柔軟性、伸縮性を有するものであればよく、任意に選択可能である。
【００１４】
スライドファスナーＳＦは、図９に示すように、一対のファスナーテープＴと、一対のファスナーテープＴの対向するテープ側縁部に取り付けられる一対のファスナーエレメントＥと、を備える。そして、スライドファスナーＳＦは、一対のファスナーエレメントＥを噛合・分離させるスライダーを備えておらず、本発明のスライドファスナー閉じ具１０により閉じられる。なお、スライドファスナーＳＦを開く場合は、使用者がファスナーエレメントＥの噛合を手で解除すればよい。ファスナーテープＴは、織製又は編製されたものである。ファスナーエレメントＥは、本実施形態ではコイル状のファスナーエレメントであるが、ジグザグ状のファスナーエレメント、金属製のファスナーエレメント、合成樹脂製のファスナーエレメントであってもよい。また、ファスナーエレメントＥは、ファスナーテープＴの下面（ファスナーテープＴのうち表皮材Ｓ１の内面と対向する面とは反対側の面）にのみ取り付けられている。
【００１５】
上記表皮材Ｓ１とスライドファスナーＳＦは、インサート成形により一体に固着させた場合、表皮材Ｓ１の裏面と、ファスナーテープＴのうち表皮材Ｓ１の裏面と対向する面が完全に密着されることがある。すなわち、ファスナーテープＴのファスナーエレメントＥが取り付けられた側縁と、表皮材Ｓ１の開口Ｓ２の側縁が密着されており、その間に隙間がない。このような表皮材Ｓ１にインサート成形されたスライドファスナーＳＦを開閉させるための本発明のスライドファスナー閉じ具１０の一実施形態は以下の構成からなる。
【００１６】
そして、本実施形態のスライドファスナー閉じ具１０は、図１及び図２に示すように、使用者により把持されるハンドル２０と、ハンドル２０の下端部からハンドル２０の長手方向に沿って延びる第１ロッド３０及び第２ロッド４０と、第１ロッド３０の下端部に設けられる上板部３１と、第２ロッド４０の下端部に設けられる下板部４１と、を備える。そして、本実施形態では、第１ロッド３０がハンドル２０に不動に固定され、第２ロッド４０がハンドル２０に長手方向に沿って上下動可能に設けられて、上板部３１と下板部４１との間隔を調節できるように構成されている。また、上板部３１と下板部４１は、第１ロッド３０と第２ロッド４０に対して略直交して配置され、且つ互いに平行に配置されている。このスライドファスナー閉じ具１０は、通常、スライドファスナーＳＦの一対のファスナーエレメントＥを噛合させるためのものであり、スライドファスナーＳＦを閉じた後は取り外されるものである。
【００１７】
ハンドル２０は、図３及び図４に示すように、上下に連結される上側ケース２１及び下側ケース２２と、上側ケース２１及び下側ケース２２を長手方向に沿って貫通する挿通穴２３と、挿通穴２３にスライド可能に挿通されるプッシュロッド２４と、プッシュロッド２４を上方に常時付勢する一対のコイルばね２５と、を備える。そして、下側ケース２２の下面の前端部に第１ロッド３０が固定され、プッシュロッド２４の下端部に第２ロッド４０が固定されている。
【００１８】
また、上側ケース２１の挿通穴２３の下端部には、収容凹部２１ａが形成されており、この収容凹部２１ａには、プッシュロッド２４の中間部に形成される一対の鍔部２４ａと、上記した一対のコイルばね２５が収容されている。そして、一対のコイルばね２５は、プッシュロッド２４の一対の鍔部２４ａと下側ケース２２の上面との間に配置されるため、一対のコイルばね２５によりプッシュロッド２４が上方に常時付勢される。
【００１９】
また、プッシュロッド２４の上端部は、上側ケース２１の上面よりも上方に突出しており、プッシュロッド２４をスライドさせるスイッチを構成している。換言すると、プッシュロッド２４の上端部は、プッシュロッド２４に取り付けられる下板部４１を上板部３１に対して上下動させるスイッチを構成している。具体的には、プッシュロッド２４の上端部を押し下げることにより、下板部４１が下動して、上板部３１と下板部４１との間隔が開くようになっている（図５参照）。また、プッシュロッド２４の押し下げを解除することにより、一対のコイルばね２５の付勢力により下板部４１が上動して、上板部３１と下板部４１との間隔が自動的に閉じるようになっている（図７参照）。
【００２０】
第１ロッド３０と上板部３１は、１枚の板部材をＬ字状に折り曲げることにより形成されている。また、上板部３１は、第２ロッド４０と交差するように配置されており、上板部３１には、第２ロッド４０を挿通させる貫通穴３１ａが形成されている。また、上板部３１の下面は、平面であり、スライドファスナーＳＦを閉じる際に、表皮材Ｓ１の表面に接触する押さえ面である（図７参照）。つまり、上板部３１はスライダーの上翼板として機能する。また、上板部３１は、第１ロッド３０の先端から、第１ロッド３０の延出方向に対して交差する方向に延出されている。
【００２１】
下板部４１は、図６に示すように、第２ロッド４０の下端部に一体形成されており、スライダーの下翼板として機能する。また、第２ロッド４０は、下板部４１の前端部の左右方向中央部に配置されており、一対のファスナーエレメントＥを案内するスライダーの案内柱として機能する。このため、スライドファスナー閉じ具１０を第２ロッド４０側に前進させることにより、分離状態の一対のファスナーエレメントＥが噛合され、スライドファスナー閉じ具１０を後退させることにより、噛合状態の一対のファスナーエレメントＥが分離される。また、下板部４１は、第２ロッド４０の先端から、第２ロッド４０の延出方向に対して交差する方向に延出されている。
【００２２】
下板部４１は、スライダーの下翼板に倣った形状の板体４１ａと、板体４１ａの左右両側縁から上方に向けて延設される一対のフランジ４１ｂと、を有する。そして、板体４１ａの上面、一対のフランジ４１ｂ、及び第２ロッド４０により、一対のファスナーエレメントＥを案内する略Ｙ字状のエレメント案内路４１ｃが形成される。また、図１〜図４に示すように、一対のフランジ４１ｂの上面と上板部３１の下面との間には、スライドファスナーＳＦのファスナーテープＴ及び表皮材Ｓ１が挿通されるスリット４１ｄが形成される。なお、スリット４１ｄには、ファスナーテープＴのみが挿通される場合もあり得る。
【００２３】
次に、本実施形態のスライドファスナー閉じ具１０の使用手順について説明する。まず、プッシュロッド２４の上端部を押し下げることにより、上板部３１と下板部４１との間隔を開く（図５参照）。次に、上板部３１と下板部４１との間にスライドファスナーＳＦの一対のファスナーエレメントＥの端部を配置した後、プッシュロッド２４の押し下げを解除して、上板部３１と下板部４１との間隔を閉じる。これにより、上板部３１と下板部４１との間に、表皮材Ｓ１、ファスナーテープＴ、及びファスナーエレメントＥが挟み込まれる（図７参照）。次に、スライドファスナー閉じ具１０をスライドファスナーＳＦに沿って摺動させることにより、スライドファスナーＳＦが閉じられる。なお、上板部３１と下板部４１との間に一対のファスナーエレメントＥの端部を配置する際は、一対のファスナーエレメントＥの端部を予め噛合させておいた方が噛合がスムーズになるため好ましい。
【００２４】
そして、このように構成されたスライドファスナー閉じ具１０では、上板部３１と下板部４１との間隔は、一対のコイルばね２５の付勢力により自動的に調節される。このため、表皮材Ｓ１の厚さが不均一であったとしても、スライドファスナー閉じ具１０をスライドファスナーＳＦに沿って摺動させる際に上板部３１と下板部４１との間隔が自動的に調節され、摺動性が良くスライドファスナーＳＦを容易に閉じることが可能となる。
【００２５】
また、本実施形態のスライドファスナー閉じ具１０では、上板部３１と下板部４１が第１ロッド３０と第２ロッド４０に対して略直交して配置されているため、図８に示すクッションＣｕのようにスライドファスナーＳＦの摺動線上に凹部Ｃｗが設けられていたとしても、上板部３１と下板部４１を凹部Ｃｗに沿ってスムーズに摺動させることができる。
【００２６】
以上説明したように、本実施形態のスライドファスナー閉じ具１０によれば、第１ロッド３０がハンドル２０に不動に固定されると共に、第２ロッド４０がハンドル２０に長手方向に沿って移動可能に設けられることにより、上板部３１と下板部４１との間隔が調節可能であるため、表皮材Ｓ１の材質や形状に左右されず、摺動性が良くスライドファスナーＳＦを容易に閉じることができる。
【００２７】
また、本実施形態のスライドファスナー閉じ具１０によれば、上板部３１と下板部４１との間隔が、一対のコイルばね２５の付勢力により自動的に調節されるため、表皮材Ｓ１の厚さが不均一であったとしても、スライドファスナー閉じ具１０をスライドファスナーＳＦに沿って摺動させる際に上板部３１と下板部４１との間隔が自動的に調節され、摺動性が良くスライドファスナーＳＦを容易に閉じることができる。
【００２８】
また、本実施形態のスライドファスナー閉じ具１０によれば、プッシュロッド２４の上端部が、上側ケース２１の上面よりも上方に突出しており、プッシュロッド２４をスライドさせるスイッチを構成するため、スライドファスナー閉じ具１０の操作性を向上することができる。
【００２９】
また、本実施形態のスライドファスナー閉じ具１０によれば、上板部３１と下板部４１が、第１ロッド３０及び第２ロッド４０に対して略直交して配置されるため、スライドファスナーＳＦの摺動線上に凹部Ｃｗが設けられていたとしても、上板部３１と下板部４１を凹部Ｃｗに沿ってスムーズに摺動させることができる。
【００３０】
なお、本発明は上記実施形態に例示したものに限定されるものではなく、本発明の要旨を逸脱しない範囲において適宜変更可能である。
例えば、上記実施形態では、第１ロッドがハンドルに固定され、第２ロッドがハンドルに移動可能に設けられているが、これに限定されず、第２ロッドがハンドルに固定され、第１ロッドがハンドルに移動可能に設けられていてもよい。
また、プッシュロッド、第２ロッド、及び下板部は一体に形成されていてもよい。
【符号の説明】
【００３１】
１０    スライドファスナー閉じ具
２０    ハンドル
２１    上側ケース
２２    下側ケース
２３    挿通穴
２４    プッシュロッド
２５    コイルばね
３０    第１ロッド
３１    上板部
４０    第２ロッド
４１    下板部
４１ａ  板体
４１ｂ  フランジ
４１ｃ  エレメント案内路
４１ｄ  スリット
Ｓ１    表皮材
【図１】
2018153446.tif 000003
【図２】
2018153446.tif 000004
【図３】
2018153446.tif 000005
【図４】
2018153446.tif 000006
【図５】
2018153446.tif 000007
【図６】
2018153446.tif 000008
【図７】
2018153446.tif 000009
【図８】
2018153446.tif 000010
【図９】
2018153446.tif 000011